(57)【要約】【課題】冷却能力を向上させるモータ駆動装置を提供する。【解決手段】モータ駆動装置１０は、電子部品と、電子部品を囲う筐体とを備える。筐体は、電子部品が固定される背面板と、背面板と対向する正面板と、互いに対向して背面板から正面板まで延びる第１側板および第２側板とを有する。第１側板は、該第１側板を貫通する開口部を有し、背面板から正面板に向かうにつれて第２側板へ近づくか、または該第２側板から離れるように、背面板に対して傾斜する。【選択図】図１
2015220333.tif 000002
【特許請求の範囲】
【請求項１】
強電盤に実装されるモータ駆動装置であって、
電子部品と、
前記電子部品を囲う筐体と、を備え、
前記筐体は、
前記強電盤に固定される背面板と、
前記背面板と対向する正面板と、
互いに対向して前記背面板から前記正面板まで延びる第１側板および第２側板と、を有し、
前記第１側板は、該第１側板を貫通する開口部を有し、前記背面板から前記正面板に向かうにつれて前記第２側板へ近づくか、または該第２側板から離れるように、前記背面板に対して傾斜する、モータ駆動装置。
【請求項２】
前記第１側板および前記第２側板は、前記背面板から前記正面板に向かうにつれて互いに近づくように、前記背面板に対して傾斜する、請求項１に記載のモータ駆動装置。
【請求項３】
前記第１側板および前記第２側板は、前記背面板から前記正面板に向かうにつれて互いに離れるように、前記背面板に対して傾斜する、請求項１に記載のモータ駆動装置。
【請求項４】
前記筐体は、互いに対向して前記背面板から前記正面板まで延び、前記第１側板と前記第２側板との間で延在する第３側板および第４側板をさらに有し、
前記第３側板は、該第３側板を貫通する開口部を有し、前記背面板から前記正面板に向かうにつれて前記第４側板へ近づくか、または該第４側板から離れるように、前記背面板に対して傾斜する、請求項１〜３のいずれか１項に記載のモータ駆動装置。
【請求項５】
前記第３側板および前記第４側板は、前記背面板から前記正面板に向かうにつれて互いに近づくように、前記背面板に対して傾斜する、請求項４に記載のモータ駆動装置。
【請求項６】
前記第３側板および前記第４側板は、前記背面板から前記正面板に向かうにつれて互いに離れるように、前記背面板に対して傾斜する、請求項４に記載のモータ駆動装置。
【発明の詳細な説明】
【技術分野】
【０００１】
本発明は、開口部が形成された筐体を備えたモータ駆動装置に関する。
【背景技術】
【０００２】
モータ駆動装置は、パワー素子等の、稼働時に発熱する電子部品を備えている。従来、モータ駆動装置の稼働時において、このような電子部品を冷却すべく、筐体の壁面に開口部を形成することが知られている（例えば、特許文献１）。
【先行技術文献】
【特許文献】
【０００３】
【特許文献１】特開２００９−２５３１８３号公報
【発明の概要】
【発明が解決しようとする課題】
【０００４】
通常、複数のモータ駆動装置が、強電盤に互いに近接して実装される。この場合、互いに隣接するモータ駆動装置において、一方のモータ駆動装置の筐体に設けられた開口部を出入りする気流が、他方のモータ駆動装置の筐体によって妨げられてしまい、モータ駆動装置の冷却能力が低下してしまう虞がある。
【課題を解決するための手段】
【０００５】
本発明の一態様において、モータ駆動装置は、強電盤に実装され、電子部品と、電子部品を囲う筐体とを備える。筐体は、強電盤に固定される背面板と、背面板と対向する正面板と、互いに対向して背面板から正面板まで延びる第１側板および第２側板とを有する。第１側板は、該第１側板を貫通する開口部を有し、背面板から正面板に向かうにつれて第２側板へ近づくか、または該第２側板から離れるように、背面板に対して傾斜する。
【０００６】
第１側板および第２側板は、背面板から正面板に向かうにつれて互いに近づくように、背面板に対して傾斜してもよい。第１側板および第２側板は、背面板から正面板に向かうにつれて互いに離れるように、背面板に対して傾斜してもよい。
【０００７】
筐体は、互いに対向して背面板から正面板まで延び、第１側板と第２側板との間で延在する第３側板および第４側板をさらに有してもよい。第３側板は、該第３側板を貫通する開口部を有し、背面板から正面板に向かうにつれて第４側板へ近づくか、または該第４側板から離れるように、背面板に対して傾斜してもよい。
【０００８】
第３側板および第４側板は、背面板から正面板に向かうにつれて互いに近づくように、背面板に対して傾斜してもよい。第３側板および第４側板は、背面板から正面板に向かうにつれて互いに離れるように、背面板に対して傾斜してもよい。
【図面の簡単な説明】
【０００９】
【図１】本発明の一実施形態に係るモータ駆動装置を、強電盤に複数配置した状態を示す斜視図である。
【図２】図１に示すモータ駆動装置の分解斜視図である。
【図３】図２に示すモータ駆動装置の筐体を、図２の矢印ＩＩＩから見た正面図である。
【図４】図３に示す筐体を、図３中のＩＶ−ＩＶで切断した断面図である。
【図５】図１に示すモータ駆動装置の筐体の機能を説明するための図であって、図１中の矢印Ｖから見た図である。
【図６】他の実施形態に係る筐体の正面図であって、図３に対応する。
【図７】図６に示す筐体を、図６中のＶＩＩ−ＶＩＩで切断した断面図である。
【図８】図６に示す筐体の機能を説明するための図である。
【図９】さらに他の実施形態に係る筐体の正面図であって、図３に対応する。
【図１０】図９に示す筐体を、図９中のＸ−Ｘで切断した断面図である。
【図１１】図９に示す筐体を、図９中のＸＩ−ＸＩで切断した断面図である。
【図１２】さらに他の実施形態に係る筐体の正面図であって、図３に対応する。
【図１３】図１２に示す筐体を、図１２中のＸＩＩＩ−ＸＩＩＩで切断した断面図である。
【図１４】図１２に示す筐体の機能を説明するための図であって、図１に対応する斜視図である。
【図１５】図１２に示す筐体の機能を説明するための図であって、図１４の矢印ＸＶから見た図である。
【発明を実施するための形態】
【００１０】
以下、本発明の実施の形態を図面に基づいて詳細に説明する。まず、図１および図２を参照して、本発明の一実施形態に係るモータ駆動装置１０について説明する。図１に示すように、モータ駆動装置１０は、強電盤１２に複数実装される。これらモータ駆動装置１０は、互いに近接して高密度に強電盤１２の上に配置される。図２に示すように、モータ駆動装置１０の各々は、電子部品１４と、電子部品１４を囲って内部に収容する筐体２０とを備える。電子部品１４は、パワー素子等のような、モータ駆動装置１０の稼働時に発熱する素子を含む。
【００１１】
次に、図３および図４を参照して、本実施形態に係る筐体２０について説明する。筐体２０は、背面板２２と、該背面板２２と対向する正面板２４と、背面板２２から正面板２４まで延びる側板（第１側板）２６、側板（第２側板）２８、側板３０、および側板３２を有する。背面板２２は、上述の強電盤１２に固定され、電子部品１４は、背面板２２に固定される。
【００１２】
側板２６および側板２８は、互いに対向して筐体２０の長手方向に延びている。本実施形態においては、側板２６は、背面板２２から正面板２４へ向かうにつれて側板２８へ近づくように、背面板２２に対して傾斜している。同様に、側板２８は、背面板２２から正面板２４へ向かうにつれて側板２６へ近づくように、背面板２２に対して傾斜している。
【００１３】
このように、本実施形態においては、側板２６および側板２８の双方が、背面板２２から正面板２４に向かうにつれて互いに近づくように、背面板２２に対して傾斜している。これにより、筐体２０は、背面板２２から正面板２４へ向かうにつれて短手方向の幅が小さくなっている。
【００１４】
一方、側板３０および側板３２は、互いに略平行に対向して配置され、側板２６から側板２８まで筐体２０の短手方向に延びている。正面板２４、側板２６、側板２８、側板３０、および側板３２の各々には、複数の開口部３４が形成されている。開口部３４は、正面板２４、側板２６、側板２８、側板３０、および側板３２を貫通するように形成されている。
【００１５】
次に、図５を参照して、本実施形態に係る筐体２０の機能について説明する。上述したように、モータ駆動装置１０は、強電盤１２に互いに近接して複数実装される。図５の例では、互いに隣接するモータ駆動装置１０の一方の筐体２０の側板２８と、他方の筐体２０の側板２６とが、各々の底縁で互いに当接する程に、モータ駆動装置１０が近接配置されている。ここで、本実施形態に係るモータ駆動装置１０の各々の筐体２０は、互いに傾斜する側板２６および側板２８を有している。
【００１６】
この構成によれば、図５に示すようにモータ駆動装置１０を近接配置した場合においても、一方のモータ駆動装置１０の側板２８と、該側板２８と対面する、他方のモータ駆動装置１０の側板２６との間に、隙間３６が形成されることになる。
【００１７】
この隙間３６によって、互いに隣接するモータ駆動装置１０の間で円滑な気流を発生させることができる。このため、モータ駆動装置１０の稼働時に発熱する電子部品１４によって暖められた筐体２０の内部の空気を、隙間３６を介して、筐体２０の外部へ円滑に流出させることができるとともに、筐体２０の外部の空気を筐体２０の内部へ円滑に流入させることができる。これにより、複数のモータ駆動装置１０を強電盤１２に隣接配置させた場合に、モータ駆動装置１０の各々の稼働時における冷却能力を高めることができる。
【００１８】
次に、図６および７を参照して、他の実施形態に係る筐体４０について説明する。筐体４０は、上述の筐体２０の代替として、モータ駆動装置１０に適用することができる。筐体４０は、背面板４２と、該背面板４２と対向する正面板４４と、背面板４２から正面板４４まで延びる側板４６、側板４８、側板（第１側板）５０、および側板（第２側板）５２を有する。背面板４２は、上述の強電盤１２に固定され、電子部品１４は、背面板４２に固定される。
【００１９】
側板４６および側板４８は、互いに略平行に対向し、筐体４０の長手方向に延びている。一方、側板５０および側板５２は、互いに対向して配置され、側板４６から側板４８まで筐体４０の短手方向に延びている。本実施形態においては、側板５０は、背面板４２から正面板４４へ向かうにつれて側板５２へ近づくように、背面板４２に対して傾斜している。同様に、側板５２は、背面板４２から正面板４４へ向かうにつれて側板５０へ近づくように、背面板４２に対して傾斜している。
【００２０】
このように、本実施形態においては、側板５０および側板５２の双方が、背面板４２から正面板４４に向かうにつれて互いに近づくように、背面板４２に対して傾斜している。その結果、筐体４０は、背面板４２から正面板４４へ向かうにつれて長手方向の長さが小さくなっている。上述の実施形態と同様に、正面板４４、側板４６、側板４８、側板５０、および側板５２の各々には、複数の開口部５４が形成されている。
【００２１】
次に、図８を参照して、本実施形態に係る筐体４０の機能について説明する。図８に示す例においては、壁部５６が強電盤１２に略直交するように設けられ、筐体４０は、その側板５０が壁部５６に近接して対面するように、強電盤１２の上に固定されている。ここで、側板５０は、上述のように背面板４２に対して傾斜しているので、側板５０と壁部５６との間に隙間５８が形成されることになる。この隙間５８によって、筐体４０と壁部５６との間で円滑な気流を発生させることができる。これにより、モータ駆動装置の稼働時における冷却能力を高めることができる。
【００２２】
次に、図９〜図１１を参照して、さらに他の実施形態に係る筐体６０について説明する。筐体６０は、背面板６２と、該背面板６２と対向する正面板６４と、背面板６２から正面板６４まで延びる側板（第１側板）６６、側板（第２側板）６８、側板（第３側板）７０、および側板（第４側板）７２を有する。背面板６２は、上述の強電盤１２に固定され、電子部品１４は、背面板６２に固定される。
【００２３】
側板６６および側板６８は、互いに対向して筐体６０の長手方向に延びている。側板６６は、背面板６２から正面板６４へ向かうにつれて側板６８へ近づくように、背面板６２に対して傾斜している。同様に、側板６８は、背面板６２から正面板６４へ向かうにつれて側板６６へ近づくように、背面板６２に対して傾斜している。
【００２４】
一方、側板７０および側板７２は、互いに対向し、側板６６から側板６８まで筐体６０の短手方向に延びている。側板７０は、背面板６２から正面板６４へ向かうにつれて側板７２へ近づくように、背面板６２に対して傾斜している。同様に、側板７２は、背面板６２から正面板６４へ向かうにつれて側板７０へ近づくように、背面板６２に対して傾斜している。
【００２５】
このように、本実施形態においては、側板６６、側板６８、側板７０、および側板７２の全てが、背面板６２に対して傾斜している。その結果、筐体６０は、背面板６２から正面板６４へ向かうにつれて短手方向の幅と長手方向の長さが小さくなっている。上述の実施形態と同様に、正面板６４、側板６６、側板６８、側板７０、および側板７２の各々には、複数の開口部７４が形成されている。
【００２６】
本実施形態によれば、図５に示すように強電盤１２に複数のモータ駆動装置を複数配置させた場合において、一方の筐体６０の側板６８と、該側板６８に対面する、他方の筐体６０の側板６６との間に、隙間３６が形成されることになる。また、図８に示すように側板７０が壁部５６に対面するように筐体６０が配置されている場合において、側板７０と壁部５６との間に隙間５８が形成されることになる。これらの隙間３６、５８によって、互いに隣接する筐体６０の間、および、筐体６０と壁部５６との間で円滑な気流を発生させることができる。これにより、モータ駆動装置の稼働時における冷却能力を、さらに効果的に高めることができる。
【００２７】
次に、図１２および図１３を参照して、さらに他の実施形態に係る筐体８０について説明する。筐体８０は、背面板８２と、該背面板８２と対向する正面板８４と、背面板８２から正面板８４まで延びる側板（第１側板）８６、側板（第２側板）８８、側板９０、および側板９２を有する。背面板８２は、上述の強電盤１２に固定され、電子部品１４は、背面板８２に固定される。
【００２８】
側板８６および側板８８は、互いに対向して筐体８０の長手方向に延びている。本実施形態においては、側板８６は、背面板８２から正面板８４へ向かうにつれて側板８８から離れるように、背面板８２に対して傾斜している。同様に、側板８８は、背面板８２から正面板８４へ向かうにつれて側板８６から離れるように、背面板８２に対して傾斜している。
【００２９】
このように、筐体８０は、背面板８２から正面板８４へ向かうにつれて短手方向の幅が拡幅している。一方、側板９０および側板９２は、互いに略平行に対向して配置され、側板８６から側板８８まで筐体８０の短手方向に延びている。上述の実施形態と同様に、正面板８４、側板８６、側板８８、側板９０、および側板９２の各々には、複数の開口部９４が形成されている。
【００３０】
次に、図１４および図１５を参照して、本実施形態に係る筐体８０の機能について説明する。図１に示す実施形態と同様に、モータ駆動装置１０’は、強電盤１２に互いに近接して複数実装される。図１５の例では、互いに隣接するモータ駆動装置１０’の一方の筐体８０の側板８８と、他方の筐体８０の側板８６とが、各々の上縁で互いに当接する程に、モータ駆動装置１０’が近接配置されている。
【００３１】
本実施形態によれば、側板８８および側板８６が互いに傾斜しているので、このようにモータ駆動装置１０’を近接配置した場合においても、一方の側板８８と、該側板８８に対面する他方の側板８６との間に、隙間９６が形成されることになる。
【００３２】
この隙間９６によって、互いに隣接する筐体８０の間で円滑な気流を発生させることができる。これにより、モータ駆動装置１０’の稼働時における冷却能力を効果的に高めることができる。
【００３３】
なお、上述の実施形態においては、互いに対向する側板の双方が背面板に対して傾斜している場合について述べた。しかしながら、これに限らず、互いに対向する側板のいずれか一方のみが背面板に対して傾斜する一方、他方は、背面板と直交してもよい。
【００３４】
以上、発明の実施形態を通じて本発明を説明したが、上述の実施形態は、特許請求の範囲に係る発明を限定するものではない。また、本発明の実施形態の中で説明されている特徴を組み合わせた形態も本発明の技術的範囲に含まれ得る。しかしながら、これら特徴の組み合わせの全てが、発明の解決手段に必須であるとは限らない。さらに、上述の実施形態に、多様な変更または改良を加えることが可能であることも当業者に明らかである。
【符号の説明】
【００３５】
１０，１０’    モータ駆動装置
１２    強電盤
１４    電子部品
２０，４０，６０，８０    筐体
２２，４２，６２，８２    背面板
２４，４４，６４，８４    正面板
２６，２８，３０，３２，４６，４８，５０，５２，６６，６８，７０，７２，８６，８８，９０，９２    側板
【図１】
2015220333.tif 000003
【図２】
2015220333.tif 000004
【図３】
2015220333.tif 000005
【図４】
2015220333.tif 000006
【図５】
2015220333.tif 000007
【図６】
2015220333.tif 000008
【図７】
2015220333.tif 000009
【図８】
2015220333.tif 000010
【図９】
2015220333.tif 000011
【図１０】
2015220333.tif 000012
【図１１】
2015220333.tif 000013
【図１２】
2015220333.tif 000014
【図１３】
2015220333.tif 000015
【図１４】
2015220333.tif 000016
【図１５】
2015220333.tif 000017